(57)【要約】【課題】パレット本体１に荷物を簡単に固定できるパレット装置とする。【解決手段】パレット本体１と、このパレット本体１に上下揺動自在に取付けた第１フレーム２、第２フレーム３と、この第１・第２フレーム２，３に取付けした荷物押え部材４と、前記第１・第２フレーム２，３とパレット本体１に亘って取付けられて第１・第２フレーム２，３を下方に揺動して荷物押え部材４を荷物Ａの上面Ｂに押しつけ保持するフレーム保持部材５を備えたパレット装置で、フレーム保持部材５を第１・第２フレーム２，３とパイロット本体１に亘って取付けることで、荷物Ａをパレット本体１に押しつけて固定できるから、パレット本体１に荷物Ａを簡単に固定できる。【選択図】図１
2006341890.tif 000002
【特許請求の範囲】
【請求項１】
荷物を載置するパレット本体と、
このパレット本体における載置した荷物と干渉しない位置に上下揺動自在に取付けた第１フレーム、第２フレームと、
この第１フレーム、第２フレームにそれぞれ取付けた荷物押え部材と、
前記第１フレーム、第２フレームを、その各荷物押え部材が荷物の上面に接して荷物をパレット本体に押しつけて固定する状態に保持するフレーム保持部材を備えていることを特徴とするパレット装置。
【請求項２】
フレーム保持部材は、パレット本体と第１・第２フレームに亘って着脱自在に取付けられ、伸縮自在でかつ縮み方向に付勢されたものである請求項１記載のパレット装置。
【請求項３】
荷物載置部を有するパレット本体と、荷物結束治具を備え
前記荷物結束治具は、前記荷物載置部の上部に設けられる荷物押え部材と、この荷物押え部材の長手方向両端部をパレット本体にそれぞれ連結する一対の結束部材を有し、
前記荷物押え部材は、横材と、その横材の長手方向両端部に設けた一対の縦材で下向きコ字状で、
前記結束部材は伸縮性索条を有し、その張力によって荷物押え部材の横材を荷物載置部に載置した荷物の上面に押しつける構成としたことを特徴とするパレット装置。
【請求項４】
結束部材は、荷物押え部材の縦材に上向き姿勢と下向き姿勢とに亘って上下揺動自在に設けたレバーと、このレバーとパレット本体に亘って連結される伸縮性索条を備え、
そのレバーを下向き姿勢から上向き姿勢に揺動することで伸縮性索条の張力が大きくなり、かつその張力で上向き姿勢に保持されるようにした請求項３記載のパレット装置。
【請求項５】
パレット本体と、荷物載置固定用の治具と、この治具をパレット本体に固定するための第１結束材と、前記治具に荷物を固定するための第２結束材を備え、
前記治具は、治具本体にパレット本体載置部と荷物置き部と第１取付部と第２取付部を設けた形状で、
そのパレット本体載置部の下面をパレット本体に載置すると共に、荷物置き部の上面に荷物を置くことで荷物がパレット本体と接しないようにし、
前記第１結束材は、索条を第１取付部とパレット本体とに亘って取付けてパレット本体載置部をパレット本体に押しつけて固定する形状で、
前記第２結束材は、索条を第２取付部と荷物とに亘って取付けて荷物を荷物置き部に押しつけ固定する形状としたことを特徴とするパレット装置。
【請求項６】
パレット本体載置部、荷物置き部を緩衝材で形成した請求項５記載のパレット装置。
【発明の詳細な説明】
【技術分野】
【０００１】
本発明は、アルミサッシ、アルミサッシを組み立てるアルミ形材などの荷物を、トラックなどに積載して輸送する際等に用いるパレット装置に関する。
【背景技術】
【０００２】
特許文献１にパレット装置が開示されている。
このパレット装置は、複数の結束駒に井桁状に木材バーを挿通させたパレット本体と、このパレット本体に載置した荷物を動かないように固定する複数の結束帯を備えている。
【０００３】
【特許文献１】特開２００３−２９２０２７号公報
【発明の開示】
【発明が解決しようとする課題】
【０００４】
前述した従来のパレット装置は、結束帯を結束駒のチャンネルに挿通して荷物に掛け渡して結束することで荷物を固定するので、その作業が大変面倒である。
このために、パレット本体に荷物を固定する作業が面倒である。
【０００５】
本発明の目的は、パレット本体に荷物を簡単に固定できるようにしたパレット装置とすることである。
【課題を解決するための手段】
【０００６】
第１の発明は、荷物を載置するパレット本体と、
このパレット本体における載置した荷物と干渉しない位置に上下揺動自在に取付けた第１フレーム、第２フレームと、
この第１フレーム、第２フレームにそれぞれ取付けた荷物押え部材と、
前記第１フレーム、第２フレームを、その各荷物押え部材が荷物の上面に接して荷物をパレット本体に押しつけて固定する状態に保持するフレーム保持部材を備えていることを特徴とするパレット装置である。
【０００７】
第１の発明においては、フレーム保持部材は、パレット本体と第１・第２フレームに亘って着脱自在に取付けられ、伸縮自在でかつ縮み方向に付勢されたものとすることができる。
【０００８】
このようにすれば、フレーム保持部材によって第１・第２フレームを下方に揺動して荷物押え部材を上面に押しつけ保持できる。
したがって、パレット本体に荷物をしっかりと固定することができる。
【０００９】
第２の発明は、荷物載置部を有するパレット本体と、荷物結束治具を備え、
前記荷物結束治具は、前記荷物載置部の上部に設けられる荷物押え部材と、この荷物押え部材の長手方向両端部をパレット本体にそれぞれ連結する一対の結束部材を有し、
前記荷物押え部材は、横材と、その横材の長手方向両端部に設けた一対の縦材で下向きコ字状で、
前記結束部材は伸縮性索条を有し、その張力によって荷物押え部材の横材を荷物載置部に載置した荷物の上面に押しつける構成としたことを特徴とするパレット装置である。
【００１０】
第２の発明においては、荷物押え部材の縦材が荷物載置部を形成する柵の外側面又は荷物の側面と対向するようにできる。
このようにすれば、横材の長手方向一端部を一方の結束部材でパレット本体に連結した時に、その横材に設けた縦材が柵の外側面又は荷物の側面に干渉するので、横材の長手方向他端部が浮き上がることがなく、１人の作業者で作業できる。
【００１１】
第２の発明においては、結束部材は、荷物押え部材の縦材に上向き姿勢と下向き姿勢とに亘って上下揺動自在に設けたレバーと、このレバーとパレット本体に亘って連結される伸縮性索条を備え、
そのレバーを下向き姿勢から上向き姿勢に揺動することで伸縮性索条の張力が大きくなり、かつその張力で上向き姿勢に保持されるようにできる。
このようにすれば、レバーを下向き姿勢として伸縮性索条をパレット本体に連結し、その後にレバーを上向き姿勢に揺動することで荷物押え部材の横材を荷物の上面に押しつけて荷物を固定できるので、その操作が簡単である。
【００１２】
第３の発明は、パレット本体と、荷物載置固定用の治具と、この治具をパレット本体に固定するための第１結束材と、前記治具に荷物を固定するための第２結束材を備え、
前記治具は、治具本体にパレット本体載置部と荷物置き部と第１取付部と第２取付部を設けた形状で、
そのパレット本体載置部の下面をパレット本体に載置すると共に、荷物置き部の上面に荷物を置くことで荷物がパレット本体と接しないようにし、
前記第１結束材は、索条を第１取付部とパレット本体とに亘って取付けてパレット本体載置部をパレット本体に押しつけて固定する形状で、
前記第２結束材は、索条を第２取付部と荷物とに亘って取付けて荷物を荷物置き部に押しつけ固定する形状としたことを特徴とするパレット装置である。
【００１３】
第３の発明においては、パレット本体載置部、荷物置き部を緩衝材で形成することができる。
【００１４】
このようにすれば、養生せずに、そのままの状態の荷物を傷つけることなく固定できる。
また、複数の治具を重ね合わせて固定した場合でも、養生せずに、そのままの状態の荷物を傷つけることがない。
【発明の効果】
【００１５】
第１・第２・第３の発明によれば、パレット本体に荷物を簡単に固定することができる。
【発明を実施するための最良の形態】
【００１６】
本発明の第１の実施の形態を説明する。この実施の形態に示すパレット装置は、後述するように組み立てたアルミサッシを固定するのに好適である。
図１、図２、図３に示すように、荷物Ａが載置されるパレット本体１と、このパレット本体１の荷物Ａと干渉しない位置に、起立姿勢と倒伏姿勢に亘って上下方向に揺動自在に取付けた第１フレーム２、第２フレーム３と、この第１フレーム２、第２フレーム３にそれぞれ設けた荷物押え部材４と、前記第１フレーム２、第２フレーム３を、その各荷物押え部材４が荷物Ａの上面Ｂに接して荷物Ａをパレット本体１に押しつけて固定する状態に保持するフレーム保持部材５でパレット装置としてある。
【００１７】
このようであるから、パレット本体１に荷物Ａを載置し、第１・第２フレーム２，３を揺動して荷物押え部材４を、荷物Ａの上面Ｂに接して荷物Ａをパレット本体１に固定する状態とし、この後にフレーム保持部材５で第１・第２フレーム２，３を前述の荷物固定状態に保持することで、荷物Ａをパレット本体１に固定することができる。
したがって、パレット本体１に荷物Ａを簡単に固定できる。
【００１８】
次に、各部材の具体形状を説明する。
前記パレット本体１は、荷物載置部１ａと、この荷物載置部１ａの両側に設けた立上り部１ｂで上向き凹部１ｃを有する形状である。
例えば、板材を折り曲げて断面上向きコ字状の長尺材としてある。
前記パレット本体１の荷物載置部１ａに荷物Ａが載置されると共に、その荷物載置部１ａの長手方向両端部分よりも張り出して荷物Ａを載置できるので、パレット本体１よりも長尺な荷物Ａを載置することができる。
前記荷物載置部１ａにはゴム、発泡プラスチックなどの緩衝材より成るパット６が設けてあり、荷物Ａの下面がパット６に接するようにして載置される。このパット６は荷物載置部１ａの全長（全面）に亘って設けても良いが、この実施の形態では複数のパット６を長手方向に間隔を置いて設けてある。
【００１９】
前記パレット本体１の底面には一対のフォーク爪挿入用のガイド部材７が固着してある。
このガイド部材７は底面板７ａと一対の側面板７ｂと一対の取付横板７ｃで断面ほぼ矩形状で、その一対の取付横板７ｃがパレット本体１の底面に固着して取付けてある。
前記ガイド部材７はパレット本体１の両側の立上り部１ｂよりも側方に張り出し、そのガイド部材７の下面における両側の立上り部１ｂと対向した両側位置に切欠き８がそれぞれ形成してある。
そして、２つのパレット本体１を上下に重ね合わせた時に、図２，図３に示すように上のパレット本体１のガイド部材７の切欠き８と、下のパレット本体１の立上り部１ｂがそれぞれ嵌まり合い、２つのパレット本体１をしっかりと位置決めして重ね合わせできるようにしてある。
【００２０】
前記第１・第２フレーム２，３は、一側縦部２ａ，３ａと他側縦部２ｂ，３ｂと、その一側縦部２ａ，３ａと他側縦部２ｂ，３ｂの長手方向一端部を連結する連結横部２ｃ，３ｃでコ字形状である。例えば、棒材をコ字形状に折り曲げてある。棒材としては丸パイプが好ましい。
前記第１フレーム２の一側縦部２ａ、他側縦部２ｂの長手方向他端部が、前記各立上り部１ｂの長手方向一端寄り位置に上下揺動自在に設けてある。
前記第２フレーム３の一側縦部３ａ、他側縦部３ｂの長手方向他端部が、前記各立上り部１ｂの長手方向他端寄り位置に上下揺動自在に取付けてある。
【００２１】
前記第１フレーム２の連結横部２ｃ、第２フレーム３の連結横部３ｃに荷物押え部材４がそれぞれ取付けてある。
この荷物押え部材４が荷物Ａの上面Ｂに接すると共に、第１・第２フレーム２，３の一側縦部２ａ，３ａが荷物Ａの一側面Ｃと対向し、第１・第２フレーム２，３の他側縦部２ｂ，３ｂが荷物Ａの他側面Ｄと対向する。
このようであるから、一側縦部２ａ，３ａで荷物Ａの一側面Ｃを保護し、他側縦部２ｂ，３ｂで荷物Ａの他側面Ｄを保護するので、パレット装置とともに荷物Ａをトラック等に積載して運搬する際などに荷物Ａの一側面Ｃ、他側面Ｄが損傷などすることを防止できる。つまり、第１・第２フレーム２，３は荷物Ａのガードを兼用する。
前述の実施の形態では、荷物Ａの高さ寸法が大きい場合には図１の仮想線で示すように第１フレーム２と第２フレーム３はハ字形状となり、荷物Ａの高さ寸法が小さい場合には図１に実線で示すように第１・第２フレーム２，３はＸ字状となるので、より確実に荷物Ａをガードできる。
【００２２】
前記荷物押え部材４は、ゴム材、発泡プラスチック材などの緩衝材で作成され、その荷物押え部材４を荷物Ａの上面Ｂに強い力で押しつけても荷物Ａを損傷することがない。
このようであるから、発泡パッド等の梱包材を別に用いる必要がなく、その梱包材の固定作業、回収作業が不要である。
この実施の形態では、荷物押え部材４は連結横材２ｃ、３ｃの外周面を囲むようにして取付けてある。
【００２３】
前記第１フレーム２、第２フレーム３は、その連結横材２ｃ，３ｃがパレット本体１の長手方向両端部よりも外側となる外側位置まで揺動でき、パレット本体１に荷物Ａを載置したり、取り出したりする積み降ろしの際に第１フレーム２、第２フレーム３が邪魔にならない。
【００２４】
前記第１フレーム２、第２フレーム３は倒伏姿勢とすることで相互に干渉せずにパレット本体１の上面、下面から突出せずにパレット本体１の高さ内に収納できるようにしてある。
このようであるから、空のパレット装置を重ね合わせる際に第１・第２フレーム２，３が邪魔にならない。
【００２５】
例えば、第１フレーム２の一側縦材２ａ、他側縦材２ｂはパレット本体１よりも短尺で、その一側縦材２ａ、他側縦材２ｂの長手方向他端部がパレット本体１の両側立上り部１ｂの外面における長手方向一端寄りに上下揺動自在に取付けてあると共に、パレット本体１の両側の立上り部１ｂには連結横材２ｃが嵌まり込む切欠き部１ｄが形成されている。
これによって、第１フレーム２は、図１の仮想線で示すように連結横材２ｃが両側立上り部１ｂを横切るようにしてパレット本体１の両側外面に収納される。
前記第２フレーム３の一側縦材３ａ、他側縦材３ｂはパレット本体１よりも短尺で、その一側縦材３ａ、他側縦材３ｂの長手方向他端部がパレット本体１の両側立上り部１ｂの内面における長手方向他端寄りに上下揺動自在に取付けてある。
これによって、第２フレーム３は図１の仮想線のようにパレット本体１の上向き凹部１ｃ内に収納される。
【００２６】
前記第１フレーム２、第２フレーム３は、パレット本体１に、自重のみでは下方に揺動せずに外力を加えることで下方に揺動するように取付けてある。
例えば、パレット本体１の立上り部１ｂと各縦材２ａ，２ｂ，３ａ，３ｂとに亘ってブレーキ装置１０を設け、このブレーキ装置１０で各縦材に揺動抵抗を付与している。
前記ブレーキ装置１０は図４に示すように、各縦材に固着した円板１１と、この円板１１に接する摩擦板１２と、この摩擦板１２に接するゴムプレート１３を備え、そのゴムプレート１３をパレット本体１の立上り部１ｂに接すると共に、円板１１、摩擦板１２、ゴムプレート１３、立上り部１ｂに亘ってボルト１４を挿通し、そのボルト１４にナット１５を螺合することで、円板１１と立上り部１ｂとの間で摩擦板１２とゴムプレート１３を挟着支持するようにしてある。
【００２７】
このようにすれば、ゴムプレート１３によって摩擦板１２が円板１１に均一な押し付け力で押しつけられるので、円板１１の回転抵抗が摩擦板１２によって大きくなり、各縦材の揺動抵抗が大であるから、第１・第２フレーム２，３が自重のみでは下方に揺動せずに外力を加えることで下方に揺動するようにできる。
【００２８】
したがって、第１・第２フレーム２，３を起立姿勢に保持できると共に、起立姿勢と倒伏姿勢との間の任意の角度の傾倒姿勢に保持できる。
しかも、第１・第２フレーム２，３が自重で急激に倒れることがなく安全である。
前述の摩擦板１２としてはグラインダーの砥石等が利用できる。
また、摩擦板１２とゴムプレート１３の代わりに面ファスナーの雄部材を相対向して一対用いることができる。
【００２９】
前記第１・第２フレーム２，３は伸縮自在で長さを調整できるようにしても良い。
このようにすれば、荷物Ａの高さに応じた長さとして、高さの異なる荷物をしっかりと固定することができる。
例えば、図５に示すように各縦材２ａ，２ｂ，３ａ，３ｂを、大径のパイプ１６内に小径のパイプ１７を摺動自在に挿入し、大径のパイプ１６に螺合した固定用ねじ１８を小径のパイプ１７の外面に押しつけて固定する形状とする。
このようにすれば、固定用ねじ１８を弛めることで大径のパイプ１６と小径のパイプ１７を相互に摺動して長さを調整できるし、その固定用ねじ１８を締め付けることで大径の第１パイプ１６と小径の第２パイプ１７を固定することができる。
【００３０】
前記フレーム保持部材５は、パレット本体１と第１・第２フレーム２，３に亘って着脱自在に取付けられ、伸縮自在でかつ縮み方向に付勢されたもの、例えば、ゴム製の紐、バンド、コイルスプリングなどである。
前記パレット本体１に取付部、例えばピン５ａが設けてある。
前記各縦材２ａ，２ｂ，３ａ，３ｂには取付部、例えばピン５ｂが設けてある。
このピン５ａとピン５ｂに亘ってフレーム保持部材５を取付けることで第１・第２フレーム２，３を下方に揺動付勢し、荷物押え部材４を荷物Ａの上面Ｂに押しつけ保持している。
【００３１】
この実施の形態では、パレット本体１の長手方向中間位置（前述の第１フレーム２の取付部と第２フレーム３の取付部との中間位置）にピン５ａが設けてある。
前記フレーム保持部材５は、取付用の下リング５ｃに第１ゴムバンド５ｄ、第２ゴムバンド５ｅの一端部が連続し、この第１・第２ゴムバンド５ｄ，５ｅの他端部に第１・第２上リング５ｆ，５ｇをそれぞれ設けたものである。
そして、下リング５ｃをパレット本体１のピン５ａに引掛け、第１ゴムバンド５ｄを伸ばして第１上リング５ｆを第１フレーム２のピン５ｂに引掛け、第２ゴムバンド５ｅを伸ばして第２上リング５ｇを第２フレーム３のピン５ｂに引掛ける。
【００３２】
このようにすれば、下リング５ｃをピン５ａに引掛け、第１・第２上リング５ｆ、５ｇをピン５ｃに引掛ければ良いので、その操作が簡単である。
なお、パレット本体１に２つのピン５ａを設け、第１・第２ゴムバンド５ｄ，５ｅを別々とし、第１ゴムバンド５ｄの下リング５ｃ、第２ゴムバンド５ｅの下リング５ｃをピン５ａにそれぞれ引掛け、第１・第２上リング５ｆ，５ｇをピン５ｂにそれぞれ引掛けて第１ゴムバンド５ｄと第２ゴムバンド５ｅを別々に取付けても良い。
【００３３】
前述の実施の形態では、第１フレーム２と第２フレーム３の２つのフレームを設けたが、荷物の大きさ、形状、重量などに応じて３つ以上のフレームを設けても良い。
また、第１・第２フレーム２，３はコ字形状であるが、１つの縦材と１つの横材でＬ字形状とし、その横材に荷物押え部材４を取付けるようにしても良い。
【００３４】
前述した第１の実施の形態のパレット装置は、組み立てしたアルミサッシ、例えば張出窓サッシを固定して運搬するのに好ましい。
すなわち、アルミサッシは所定の幅と長さと高さを有するので、パレット本体１の上向き凹部１ｃの幅をアルミサッシの幅よりも大きくすることで、長さ、高さの異なるアルミサッシを固定できるし、第１・第２フレーム２，３の荷物押え部材４を荷物Ａの上面Ｂに押しつけることで、アルミサッシを強固にパレット本体１に固定できる。
【００３５】
本発明の第２の実施の形態を説明する。この実施の形態に示すパレット装置は、後述するようにアルミサッシを組み立てるアルミ形材などの長尺の荷物を複数まとめて固定するパレット装置として好適である。
図６、図７、図８に示すように、パレット装置は、パレット本体２０と荷物結束治具３０を備えている。
前記パレット本体２０は荷物載置部を有する。この実施の形態では、パレット本体２０は所定の幅と長さを有する板状の基盤２１と、この基盤２１の幅方向に間隔を置いて設けた複数の柵２２を有し、その隣接した柵２２間に長尺の荷物Ａを積み重ねるようにして複数載置する。つまり隣接した柵２２間が荷物載置部２３で、この荷物載置部２３は幅方向に間隔を置いて複数有する。
前記荷物結束治具３０は、荷物載置部の上部に設けられる荷物押え部材３１と、この荷物押え部材３１の長手方向の両端部をパレット本体２０にそれぞれ連結する一対の結束部材３２を有する。この実施の形態の荷物押え部材３１は、前記幅方向の複数の荷物載置部２３の上部間に亘って連続して設けられる。
【００３６】
このようであるから、荷物載置部に荷物Ａを記載し、その荷物Ａの上面Ｂに荷物押え部材３１を載置し、その荷物押え部材３１を一対の結束部材３２でパレット本体２０に固定することで、荷物押え部材３１の横材３１ａを荷物Ａの上面Ｂに押しつけて固定でき、その荷物の固定が簡単である。
この実施の形態では、複数の荷物載置部２３に荷物Ａをそれぞれ載置し、各荷物載置部２３の上部間に亘って荷物押え部材３１を設けて各荷物Ａの上面Ｂに接する。
この後に、一対の結束部材３２で荷物押え部材３１の両端部をパレット本体２０、例えば柵２２に連結し、荷物押え部材３１で各荷物載置部２３に載置した複数の荷物Ａを基盤２１にそれぞれ押しつけて固定する。
したがって、１つの荷物押え部材３１を一対の結束部材３２でパレット本体２０に連結することで、複数の荷物載置部２３にそれぞれ載置した複数の荷物Ａをパレット本体２０に固定でき、その荷物の固定が簡単である。
【００３７】
前述した実施の形態では、基盤２１の長手方向に間隔を置いて２つの柵２２が取付けてあるが、３つ以上の柵２２を基盤２１の長手方向に間隔を置いて取付けても良いし、長手方向に１つの柵２２のみを取付けるようにしても良い。また、柵２２を取付けずに荷物載置部を１つとしても良い。
また、基盤２１には支柱２４が取付けてあり、荷物Ａを載置した状態で複数のパレット本体２０を上下に重ね合わせできるようにしてある。この支柱２４は着脱自在で、空のパレット本体２０をコンパクトに上下に重ね合わせできるようにしてある。
前述の図６、図７、図８においては、荷物Ａは仮想線で長尺の一体物として図示してあるが、実際には長尺な荷物を重ね合わせて載置してある。
【００３８】
次に、各部材の具体形状を説明する。
前記基盤２１は上板２１ａと下板２１ｂをブロック２１ｃを介して連結し、その上板２１ａとの間の空間２１ｄにフォーク爪を挿入できるようにしてある。
前記荷物押え部材３１は図８に示すように、横材３１ａと、その横材３１ａの長手方向両端部に固定した一対の縦材３１ｂで下向きコ字形状で、その横材３１ａを荷物Ａの上面Ｂに接した状態で、一対の縦材３１ｂが柵２２の外側面２２ａと対向するようにしてある。なお、柵２２がない場合には縦材３１ｂが荷物Ａの側面と対向するようにすれば良い。
前述の対向するとは、両者が接触すること、または両者の間に数ｍｍ〜数ｃｍの間隔があることであり、横材３１ａの長手方向一端部を下方に引っ張った時に、その縦材３１ｂが柵２２の外側面２２ａ、又は荷物Ａの側面と干渉して横材３１ａの他端部が浮き上がることがないようにできれば良い。
【００３９】
前記横材３１ａの下面には緩衝材より成るパット３１ｃが取付けてあり、このパット３１ｃが荷物Ａの上面Ｂに接するようにしてある。
なお、この実施の形態では荷物Ａの上面Ｂが柵２２よりも上方に突出しているのでパット３１ｃを荷物Ａの上面Ｂに接することができるが、荷物Ａの上面Ｂが柵２２の上面よりも下方である場合には、補助のパットを用いれば良い。
【００４０】
前記結束部材３２は、ゴム紐、ゴムバンドなどの伸縮性索条３２ａを有し、その伸縮性索条３２ａを伸ばした状態で荷物押え部材３１とパレット本体２０、例えば柵２２に亘って連結し、その荷物押え部材３１を下方に引っ張りして荷物Ａの上面Ｂに押しつけて保持している。
前述の結束部材３２の伸縮性索条３２ａの連結作業を１人の作業者で行う場合には、荷物押え部材３１の長手方向一端部を一方の伸縮性索条３２ａで連結した後に荷物押え部材３１の長手方向他端部を、他方の伸縮性索条３２ａで連結することになるが、一方の伸縮性索条３２ａを連結する際に、荷物押え部材３１の長手方向他端部が浮き上がることがある。
この実施の形態では、前述のように横材３１ａと一対の縦材３１ｂで荷物押え部材３１を下向きコ字形状とし、その縦材３１ｂが柵２２の外側面２２ａと対向しているので、その縦材３１ｂが柵２２の外側面２２ａと干渉して浮き上がることを防止できる。
したがって、１人の作業者で簡単に荷物押え部材３１を連結できる。
【００４１】
前記結束部材３２の具体形状を説明する。
前記結束部材３２は図９と図１０に示すように、荷物押え部材３１の縦材３１ｂに軸３３で上向き姿勢と下向き姿勢に上下揺動自在に取付けしたレバー３４を備え、このレバーレバー３４に伸縮性索条３２ａの一端部が固着してある。
例えば、レバー３４の一対の切欠き部３４ａに伸縮性索条３２ａの一端リング部３５を引掛けて固着してある。
この伸縮性索条３２ａの他端部が柵２２の外側面２２ａの取付部に取付ける。例えば、伸縮性索条３２ａの他端リング部３６をレバー３４の開口部３４ｂを通してフック３７に引掛けて取付ける。
【００４２】
このようであるから、レバー３４を図９に仮想線で示す下向き姿勢として伸縮性索条３２ａを下方に移動し、その他端リング部３６をフック３７に引掛ける。
この後に、レバー３４を図９に実線で示す上向き姿勢に揺動し、伸縮性索条３２ａを引っ張って張力を大とする。
この時、伸縮性索条３２ａは軸３３よりも柵２２寄りの位置となり、その張力でレバー３４は図９で時計方向に揺動付勢されるので、レバー３４が縦材３１ｂに当接して上向き姿勢に保持される。
【００４３】
なお、図９に示すように横材３１ａとレバー３４とに亘って面ファスナーテープ３８を係脱自在に取付け、振動などでレバー３４が下向き姿勢に揺動しないようにロックするようにしても良い。
また、レバー３４の切欠き部３４ａは上下方向に離隔して複数、例えば図９、図１０に示すように２つ形成すれば、伸縮性索条３２ａの取付け位置を変更して張力の大きさ、つまり引き締め力の大きさを調整できる。
【００４４】
次に、前記荷物結束治具３０の第２の実施の形態を説明する。
図１１に示すように、荷物押え部材３１は横材３１ａと縦材３１ｂを備え、前述の実施の形態と同様で、結束部材３２は伸縮性索条３２ａを備えている点で前述の実施の形態と同様で、その伸縮性索条３２ａを荷物押え部材３１とパレット本体２０に連結する構成が前述の実施の形態と相違する。
すなわち、荷物押え部材３１、例えば縦材３１ｂに一体的に設けた横片４０に、索条連結部４１と索条保持部４２を形成する。
前記索条連結部４１としては２つの穴４１ａで、前記索条保持部４２としては２つのスリット状の切欠き部４２ａである。
そして伸縮性索条３２ａの一端部分を２つの穴４１ａに連通して抜けないように連結し、その伸縮性索条３２ａの中間部をパレット本体２０の取付部、例えば柵２２のフック３７に引掛けた後に一対の切欠き部４２ａに嵌め込むようにして伸縮性索条３２ａの他端部を抜けないように保持する。
【００４５】
この構成であれば、伸縮性索条３２ａをフック３７に引掛けて後に切欠き部４２ａに嵌め込む簡単な操作で荷物押え部材３１を荷物Ａの上面Ｂに押しつけ保持できる。
【００４６】
前述の実施の形態では、柵２２のフック３７に伸縮性索条３２ａを連結したが、基盤２１に設けたフックに連結しても良い。
また、縦材３１ｂに伸縮性索条３２ａを連結、保持したが、横材３１ａに連結、保持しても良い。
【００４７】
前述したように、第２の実施の形態のパレット装置は、幅方向に間隔を置いて複数の荷物載置部２３を有するパレット本体２０に長尺な荷物を載置して固定するパレット装置として好ましい。
すなわち、前述したように複数の荷物載置部を有するパレット本体に長尺な荷物を固定するには、その各荷物載置部毎にゴムバンド等の結束具で荷物をそれぞれ固定しているので、その作業が面倒である。
これに対して、前述の第２の実施の形態のパレット装置であれば、１つの荷物押え部材３１を一対の結束部材３２でパレット本体２０に連結することで、各荷物載置部２３に載置した荷物Ａを１度にパレット本体２０に固定することができ、その作業が簡単である。
【００４８】
次に、本発明の第３の実施の形態を説明する。この実施の形態のパレット装置は、荷物を段ボール箱等を用いて養生した状態でパレット本体に固定するのではなく、その荷物を養生せずにそのままの状態でパレット本体に固定するパレット装置として好適である。
図１２、図１３に示すように、このパレット装置は、パレット本体５０と、このパレット本体５０に荷物を載置して固定するための荷物載置固定用の治具６０と、この治具６０をパレット本体５０に固定する第１結束材７０と、前記治具６０に荷物を固定する第２結束材８０を備えている。
前記治具６０は、治具本体６１にパレット本体載置部６２と荷物置き部６３を設け、そのパレット本体載置部６２の下面６２ａをパレット本体５０に載置すると共に、荷物置き部６３の上面６３ａに荷物Ａを置く。
これによって、荷物Ａはパレット本体５０における治具６０を載置した面よりも間隔を置いて上方に位置し、荷物Ａはパレット本体５０の面と接触しない。
この実施の形態では、パレット本体５０に養生された荷物（例えば段ボール箱内に入れた荷物）Ｅが載置して固定され、この荷物Ｅの上面に治具６０が載置してある。
なお、パレット本体５０に直接載置しても良いことは勿論である。
【００４９】
前記治具本体６１には第１結束材７０を取付けるための第１取付部６４と第２結束材８０を取付けるための第２取付部６５が設けてある。
前記第１結束材７０はゴム紐、ゴムバンドなどの伸縮性索条７１を有し、この伸縮性索条７１を第１取付部６４とパレット本体５０とに亘って取付けて治具６０（治具本体６１）をパレット本体５０に固定している。この実施の形態では伸縮性索条７１を第１取付部６４と荷物Ｅのパレット本体５０よりも突出した部分とに亘って巻き掛けて取付けしている。
前記第２結束材８０は、ゴム紐、ゴムバンドなどの伸縮性索条８１を有し、この伸縮性索条８１を第２取付部６５と荷物Ａとに亘って取付けしている。なお、伸縮しない索条でも良い。
【００５０】
このようであるから、治具６０に荷物Ａをあらかじめ固定し、この状態で治具６０と荷物Ａをパレット本体５０に載置し、その治具６０をパレット本体５０に固定することで、荷物Ａをパレット本体５０に簡単に固定することができる。
【００５１】
前記パレット本体載置部６２、荷物置き部６３はゴム、発泡樹脂などの緩衝材で形成され、荷物Ａをパレット本体５０に損傷しないと共に、衝撃を吸収できるように載置できる。
したがって、荷物Ａを段ボール箱に入れたり、クッション材を巻きつけたりして養生せずに、そのままの状態でパレット本体５０に載置して固定することが可能であると共に、上下に重ね合わせて固定するこも可能である。つまり、養生しない荷物でも傷つけることがないし、上下に重ね合わせても荷物を傷つけない。
【００５２】
このようであるから、多数のアルミ形材をパレット本体に載置して固定する際に、多くのアルミ形材は養生して固定し、残りのアルミ形材は養生せずに、そのままの状態で固定できる。
【００５３】
前述の形態では、パレット本体載置部６２と荷物置き部６３が治具本体６１に一体形成されて下部がパレット本体載置部６２、上部が荷物置き部６３としてあるが、これに限ることはなく、パレット本体載置部６２と荷物置き部６３をそれぞれ別々に治具本体６１に形成しても良い。
【００５４】
前述の実施の形態では、治具本体６１の長手方向両側部にパレット本体載置部６２、荷物置き部６３、第１取付部６４、第２取付部６５がそれぞれ設けてあるので、その治具本体６１の長手方向両側部をしっかりとパレット本体５０に固定できるし、荷物Ａの長手方向両側部をしっかりと治具６０の長手方向両側部に固定できる。
【００５５】
次に、前述の図１２、図１３に示す実施の形態を詳細に説明する。
治具本体６１は長尺な棒材６１ａで、この棒材６１ａの長手方向両側部に発泡樹脂などの緩衝材より成るブロック体６６を嵌合してそれぞれ取付け、その各ブロック体６６の下部をパレット本体載置部６２、上部を荷物置き部６３としてある。
前記棒材６１ａの長手方向両側寄り（ブロック本体６６よりも内側位置）に一対の棒６７を直交してそれぞれ固定し、第２取付部６５とする。
前記棒材６１ａの長手方向両端面にパイプ６８を直交してそれぞれ固定し、第１取付部６４とする。このパイプ６８はブロック体６６の切欠き部６６ａ内に嵌まり込んでブロック体６６の端面から突出しないようにしてあると共に、そのパイプ６８でブロック体６６が棒材６１ａに対して回転しないようにできる。
【００５６】
このようであるから、治具６０の長手方向両端部はブロック体６６であり、治具６０を平坦面に置いた状態から一方のブロック体６６を支点として斜めに持ち上げでき、その治具６０の取り扱いが容易で、荷卸し作業がやり易い。
【００５７】
前述の治具６０とした場合には、伸縮性索条８１を荷物Ａの上面に接しながら、一対の棒６７を掛け渡しすることで荷物Ａを治具６０に固定できるから、その作業が容易である。
また、パイプ６８に伸縮性索条７１を挿通し、その伸縮性索条７１を荷物Ｅに巻きつけて面ファスナーを用いて固着して弛まないようにすることで治具６０を荷物Ｅ（パレット本体５０）に固定できるから、その作業が容易である。
【００５８】
次に、前述の治具６０の第２の実施の形態を説明する。
図１４、図１５に示すように、治具本体６１は、長尺なパイプ９０に一対の第１パイプ継手９１と一対の第２パイプ継手９２を嵌合して取付けたもので、その第１のパイプ継手９１に一対の中間パイプ９３をそれぞれ嵌合して取付け、この一対の中間パイプ９３がパイプ９０と直交して第２取付部６５としてある。
前記第２パイプ継手９２に一本の端部パイプ９４を嵌合して取付け、この端部パイプ９４が前述のパイプ９０と直交して第１取付部６４としてある。
下プレート９５と一対のブロック９６と上プレート９７を接着等で固定して貫通孔部９８を有するブロック体９９とし、この貫通孔部９８に前述のパイプ９０の両側部分を挿通することで、そのパイプ９０の両側部にブロック体９９をそれぞれ取付けてある。
前記下プレート９５がパレット本体載置部６２で、上プレート９７が荷物置き部６３である。
【００５９】
このようであるから、パイプとパイプ継手を用いて治具本体６１、第１・第２取付部６４，６５を形成できる。
また、下プレート９５に一対のブロック９６を固着し、その一対のブロック９６間にパイプ９０の長手方向両側部を押し込み、一対のブロック９６に上プレート９７を固着することで治具６０を作製できる。
【００６０】
前記下プレート９５、一対のブロック９６、上プレート９６は発泡樹脂などの緩衝材より成る。
また、上・下プレート９７，９５がブロック９６の一端部よりも張り出してブロック体９９の端部に凹部９９ａを形成している。
そして、この凹部９９ａに前記端部パイプ９４（第１取付部６４）が嵌まり込んでいる。
【図面の簡単な説明】
【００６１】
【図１】本発明の第１の実施の形態を示す正面図である。
【図２】本発明の第１の実施の形態を示す右側面図である。
【図３】本発明の第１の実施の形態を示す左側面図である。
【図４】ブレーキ装置の説明図である。
【図５】縦材を伸縮自在とした説明図である。
【図６】本発明の第２の実施の形態を示す正面図である。
【図７】本発明の第２の実施の形態を示す平面図である。
【図８】本発明の第２の実施の形態を示す右側面図である。
【図９】結束部材の詳細側面図である。
【図１０】結束部材の斜視図である。
【図１１】結束部材の第２の実施の形態を示す斜視図である。
【図１２】本発明の第３の実施の形態を示す正面図である。
【図１３】本発明の第３の実施の形態を示す平面図である。
【図１４】治具の分解斜視図である。
【図１５】治具の組立状態の正面図である。
【符号の説明】
【００６２】
１…パレット本体、２…第１フレーム、３…第２フレーム、４…荷物押え部材、５…フレーム保持部材、２０…パレット本体、２２…柵、２３…荷物載置部、３０…荷物結束治具、３１…荷物押え部材、３１ａ…横材、３１ｂ…縦材、３２…結束部材、３２ａ…伸縮性索条、５０…パレット本体、６０…治具、６１…治具本体、６２…パレット本体載置部、６３…荷物置き部、６４…第１取付部、６５…第２取付部、７０…第１結束材、７１…伸縮性索条、８０…第２結束材、８１…伸縮性索条。
【図１】
2006341890.tif 000003
【図２】
2006341890.tif 000004
【図３】
2006341890.tif 000005
【図４】
2006341890.tif 000006
【図５】
2006341890.tif 000007
【図６】
2006341890.tif 000008
【図７】
2006341890.tif 000009
【図８】
2006341890.tif 000010
【図９】
2006341890.tif 000011
【図１０】
2006341890.tif 000012
【図１１】
2006341890.tif 000013
【図１２】
2006341890.tif 000014
【図１３】
2006341890.tif 000015
【図１４】
2006341890.tif 000016
【図１５】
2006341890.tif 000017